(57)【要約】【課題】反射防止効果を効果的に実現して表示特性を改善することができる有機発光装置を提供する。【解決手段】本発明による有機発光装置は、有機発光表示パネルと、前記有機発光表示パネルの一面に位置し偏光子および補償フィルムを含む円偏光板とを含み、前記補償フィルムの第１方向に対する位相遅延が前記有機発光表示パネルの第１方向に対する位相遅延を考慮して光学設計される。【選択図】図３
2017187737.tif 000002
【特許請求の範囲】
【請求項１】
有機発光表示パネルと、
前記有機発光表示パネルの一面に位置し偏光子および補償フィルムを含む円偏光板と
を含み、
前記補償フィルムの第１方向に対する位相遅延が、前記有機発光表示パネルの第１方向に対する位相遅延を考慮して光学設計されることを特徴とする、有機発光装置。
【請求項２】
前記補償フィルムの第１方向に対する位相遅延が、前記円偏光板の一面に反射板を配置し測定された前記円偏光板の側面方向での反射率および反射色のうちの少なくとも一つが最小であるときの前記補償フィルムの第１方向に対する位相遅延と異なるように光学設計されることを特徴とする、請求項１に記載の有機発光装置。
【請求項３】
前記補償フィルムの第１方向に対する位相遅延が下記関係式１を満足することを特徴とする、請求項１に記載の有機発光装置：
［関係式１］
│Ｒｃ２│−│Ｒｃ１│＞０
上記関係式１において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延である。
【請求項４】
前記補償フィルムの第１方向に対する位相遅延が下記関係式２を満足することを特徴とする、請求項１に記載の有機発光装置：
［関係式２］
│Ｒｃ１−Ｒｐ│×０．６≦Ｒｃ２≦│Ｒｃ１−Ｒｐ│×１．４
上記関係式２において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延であり、
Ｒｐは、前記有機発光表示パネルの第１方向に対する位相遅延である。
【請求項５】
前記補償フィルムの第１方向に対する位相遅延が下記関係式３を満足することを特徴とする、請求項１に記載の有機発光装置：
［関係式３］
│Ｒｃ１−Ｒｐ│×０．８≦Ｒｃ２≦│Ｒｃ１−Ｒｐ│×１．２
上記関係式３において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延であり、
Ｒｐは、前記有機発光表示パネルの第１方向に対する位相遅延である。
【請求項６】
前記補償フィルムの第１方向に対する位相遅延が、前記補償フィルムの厚さ方向に発生する厚さ方向位相遅延であり、
前記有機発光表示パネルの第１方向に対する位相遅延が、前記有機発光表示パネルの厚さ方向に発生する厚さ方向位相遅延であることを特徴とする、請求項１に記載の有機発光装置。
【請求項７】
前記有機発光表示パネルが下記関係式５および６の屈折率を満足することを特徴とする、請求項５に記載の有機発光装置：
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項８】
前記有機発光表示パネルが下記関係式７の屈折率を満足することを特徴とする、請求項５に記載の有機発光装置：
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項９】
前記有機発光表示パネルの厚さ方向位相遅延が２０ｎｍ〜２００ｎｍであることを特徴とする請求項５に記載の有機発光装置。
【請求項１０】
前記補償フィルムが、下記関係式８および９の屈折率を満足する第１補償フィルムと、
下記関係式１０の屈折率を満足する第２補償フィルムと
を含むことを特徴とする、請求項１に記載の有機発光装置：
［関係式８］
ｎｘ１＞ｎｙ１
［関係式９］
ｎｘ１＞ｎｚ１
上記関係式８および９において、
ｎｘ１は、第１補償フィルムの面内屈折率が最も大きい方向での屈折率であり、
ｎｙ１は、第１補償フィルムの面内屈折率が最も小さい方向での屈折率であり、
ｎｚ１は、第１補償フィルムの厚さ方向での屈折率であり、
［関係式１０］
ｎｚ２＞ｎｘ２＝ｎｙ２
上記関係式１０において、
ｎｘ２は、第２補償フィルムの面内屈折率が最も大きい方向での屈折率であり、
ｎｙ２は、第２補償フィルムの面内屈折率が最も小さい方向での屈折率であり、
ｎｚ２は、第２補償フィルムの厚さ方向での屈折率である。
【請求項１１】
前記第１補償フィルムが１１０ｎｍ〜１６０ｎｍの面内位相遅延を有することを特徴とする、請求項１０に記載の有機発光装置。
【請求項１２】
前記第１補償フィルムが、
１１０ｎｍ〜１６０ｎｍの面内位相遅延を有する第３補償フィルムと、
２２０ｎｍ〜３２０ｎｍの面内位相遅延を有する第４補償フィルムと
を含むことを特徴とする、請求項１０に記載の有機発光装置。
【請求項１３】
前記有機発光表示パネルが下記関係式５および６の屈折率を満足することを特徴とする、請求項１０に記載の有機発光装置：
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項１４】
前記有機発光表示パネルが下記関係式７の屈折率を満足することを特徴とする、請求項１０に記載の有機発光装置：
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項１５】
前記第１補償フィルムおよび前記第２補償フィルムが、それぞれ独立して、高分子、液晶またはこれらの組み合わせを含むことを特徴とする、請求項１０に記載の有機発光装置。
【請求項１６】
前記補償フィルムが下記関係式１１または１２の屈折率を満足する高分子フィルムを含むことを特徴とする、請求項１に記載の有機発光装置：
［関係式１１］
ｎｘ３＞ｎｚ３＞ｎｙ３
［関係式１２］
ｎｚ３≧ｎｘ３＞ｎｙ３
上記関係式１１および１２において、
ｎｘ３は、高分子フィルムの面内屈折率が最も大きい方向での屈折率であり、
ｎｙ３は、高分子フィルムの面内屈折率が最も小さい方向での屈折率であり、
ｎｚ３は、高分子フィルムの厚さ方向での屈折率である。
【請求項１７】
前記有機発光表示パネルが下記関係式５および６の屈折率を満足することを特徴とする、請求項１６に記載の有機発光装置：
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項１８】
前記有機発光表示パネルが下記関係式７の屈折率を満足することを特徴とする、請求項１６に記載の有機発光装置：
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項１９】
前記補償フィルムが、前記補償フィルムの表面に対して斜めに傾斜した液晶を含む液晶層を含み、
前記補償フィルムの表面に対する前記液晶の傾斜角が、前記補償フィルムの厚さ方向に沿って漸進的に大きくなることを特徴とする、請求項１に記載の有機発光装置。
【請求項２０】
前記液晶層が、前記有機発光表示パネル側に位置する第１面と、前記偏光子側に位置する第２面とを有し、
前記補償フィルムの表面に対する前記液晶の傾斜角が、前記第１面から前記第２面まで前記補償フィルムの厚さ方向に沿って漸進的に大きくなることを特徴とする、請求項１９に記載の有機発光装置。
【請求項２１】
前記液晶層が、前記偏光子側に位置する第１面と、前記有機発光表示パネル側に位置する第２面とを有し、
前記補償フィルムの表面に対する前記液晶の傾斜角が、前記第１面から前記第２面まで前記補償フィルムの厚さ方向に沿って漸進的に大きくなることを特徴とする、請求項１９に記載の有機発光装置。
【請求項２２】
前記有機発光表示パネルが下記関係式５および６の屈折率を満足することを特徴とする、請求項１９に記載の有機発光装置：
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項２３】
前記有機発光表示パネルが下記関係式７の屈折率を満足することを特徴とする、請求項１９に記載の有機発光装置：
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【請求項２４】
前記補償フィルムが前記液晶層に接する配向膜をさらに含むことを特徴とする、請求項１９に記載の有機発光装置。
【請求項２５】
前記有機発光表示パネルが、配向された有機分子を含む有機層を含むことを特徴とする、請求項１に記載の有機発光装置。
【請求項２６】
前記有機発光表示パネルが、蒸着された有機分子を含む有機層を含むことを特徴とする、請求項１に記載の有機発光装置。
【請求項２７】
前記有機発光表示パネルが、微小共振器（ｍｉｃｒｏｃａｖｉｔｙ）構造を有することを特徴とする、請求項１に記載の有機発光装置。
【請求項２８】
偏光子および補償フィルムを含み、
前記補償フィルムの第１方向に対する位相遅延が下記関係式１を満足することを特徴とする、有機発光装置用円偏光板：
［関係式１］
│Ｒｃ２│−│Ｒｃ１│＞０
上記関係式１において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延である。
【請求項２９】
前記補償フィルムの第１方向に対する位相遅延が、前記補償フィルムの厚さ方向に発生する厚さ方向位相遅延であることを特徴とする、請求項２８に記載の有機発光装置用円偏光板。
【請求項３０】
下記関係式１を満足する第１方向に対する位相遅延を有する、円偏光板用補償フィルム：
［関係式１］
│Ｒｃ２│−│Ｒｃ１│＞０
上記関係式１において、
Ｒｃ２は、前記補償フィルムの第１方向に対する位相遅延であり、
Ｒｃ１は、円偏光板の一面に反射板を配置し測定された前記円偏光板の側面方向での反射率および反射色のうちの少なくとも一つが最小であるときの前記補償フィルムの第１方向に対する位相遅延である。
【請求項３１】
前記補償フィルムの第１方向に対する位相遅延が、前記補償フィルムの厚さ方向に発生する厚さ方向位相遅延であることを特徴とする、請求項３０に記載の円偏光板用補償フィルム。
【発明の詳細な説明】
【技術分野】
【０００１】
本発明は、有機発光装置に関するものである。
【背景技術】
【０００２】
近来、モニターまたはテレビなどの軽量化および薄形化が要求されており、このような要求により有機発光装置（ｏｒｇａｎｉｃ  ｌｉｇｈｔ  ｅｍｉｔｔｉｎｇ  ｄｉｏｄｅ  ｄｅｖｉｃｅ、ＯＬＥＤ  ｄｅｖｉｃｅ）が注目されている。有機発光装置は自ら発光する自己発光型表示装置であって別途のバックライトが必要ないため厚さを減らすことができ、フレキシブル表示装置を実現するのに有利である。
【０００３】
しかし、有機発光装置の金属電極および金属配線は外部から流入した光を反射させる可能性があり、このように反射された光は有機発光装置の視認性及びコントラスト比を低下させ表示品質を落とすことがある。
【発明の概要】
【発明が解決しようとする課題】
【０００４】
これを減らすために、有機発光表示パネルの一面に所定の光学特性が付与された円偏光板を付着することができる。円偏光板は前記反射された光が外側に出ることを減らして反射防止効果を実現することができる。
【０００５】
一実施形態は、反射防止効果を効果的に実現して表示特性を改善することができる有機発光装置を提供する。
【０００６】
他の実施形態は、前記有機発光装置に適用できる円偏光板を提供する。
【０００７】
また他の実施形態は、前記円偏光板に含まれている補償フィルムを提供する。
【課題を解決するための手段】
【０００８】
一実施形態によれば、有機発光表示パネルと、前記有機発光表示パネルの一面に位置し偏光子および補償フィルムを含む円偏光板とを含み、前記補償フィルムの第１方向に対する位相遅延が前記有機発光表示パネルの第１方向に対する位相遅延を考慮して光学設計される有機発光装置を提供する。
【０００９】
前記補償フィルムの第１方向に対する位相遅延は、前記円偏光板の一面に反射板を配置し測定された前記円偏光板の側面方向での反射率および反射色のうちの少なくとも一つが最小であるときの前記補償フィルムの第１方向に対する位相遅延と異なるように光学設計することができる。
【００１０】
前記補償フィルムの第１方向に対する位相遅延は下記関係式１を満足することができる。
［関係式１］
│Ｒｃ２│−│Ｒｃ１│＞０
上記関係式１において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延である。
【００１１】
前記補償フィルムの第１方向に対する位相遅延は下記関係式２を満足することができる。
［関係式２］
│Ｒｃ１−Ｒｐ│×０．６≦Ｒｃ２≦│Ｒｃ１−Ｒｐ│×１．４
上記関係式２において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延であり、
Ｒｐは、前記有機発光表示パネルの第１方向に対する位相遅延である。
【００１２】
前記補償フィルムの第１方向に対する位相遅延は下記関係式３を満足することができる。
［関係式３］
│Ｒｃ１−Ｒｐ│×０．８≦Ｒｃ２≦│Ｒｃ１−Ｒｐ│×１．２
上記関係式３において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延であり、
Ｒｐは、前記有機発光表示パネルの第１方向に対する位相遅延である。
【００１３】
前記補償フィルムの第１方向に対する位相遅延は前記補償フィルムの厚さ方向に発生する厚さ方向位相遅延であってもよく、前記有機発光表示パネルの第１方向に対する位相遅延は前記有機発光表示パネルの厚さ方向に発生する厚さ方向位相遅延であってもよい。
【００１４】
前記有機発光表示パネルは下記関係式５および６の屈折率を満足することができる。
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００１５】
前記有機発光表示パネルは下記関係式７の屈折率を満足することができる。
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００１６】
前記有機発光表示パネルの厚さ方向位相遅延は、約２０ｎｍ〜２００ｎｍであってもよい。
【００１７】
前記補償フィルムは、下記関係式８および９の屈折率を満足する第１補償フィルムと、下記関係式１０の屈折率を満足する第２補償フィルムとを含むことができる。
［関係式８］
ｎｘ１＞ｎｙ１
［関係式９］
ｎｘ１＞ｎｚ１
上記関係式８および９において、
ｎｘ１は、第１補償フィルムの面内屈折率が最も大きい方向での屈折率であり、
ｎｙ１は、第１補償フィルムの面内屈折率が最も小さい方向での屈折率であり、
ｎｚ１は、第１補償フィルムの厚さ方向での屈折率であり、
［関係式１０］
ｎｚ２＞ｎｘ２＝ｎｙ２
上記関係式１０において、
ｎｘ２は、第２補償フィルムの面内屈折率が最も大きい方向での屈折率であり、
ｎｙ２は、第２補償フィルムの面内屈折率が最も小さい方向での屈折率であり、
ｎｚ２は、第２補償フィルムの厚さ方向での屈折率である。
【００１８】
前記第１補償フィルムは、約１１０ｎｍ〜１６０ｎｍの面内位相遅延を有してもよい。
【００１９】
前記第１補償フィルムは、約１１０ｎｍ〜１６０ｎｍの面内位相遅延を有する第３補償フィルムと、約２２０ｎｍ〜３２０ｎｍの面内位相遅延を有する第４補償フィルムとを含むことができる。
【００２０】
前記有機発光表示パネルは下記関係式５および６の屈折率を満足することができる。
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００２１】
前記有機発光表示パネルは下記関係式７の屈折率を満足することができる。
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００２２】
前記第１補償フィルムおよび前記第２補償フィルムは、それぞれ独立して、高分子、液晶またはこれらの組み合わせを含むことができる。
【００２３】
前記補償フィルムは下記関係式１１または１２の屈折率を満足する高分子フィルムを含むことができる。
［関係式１１］
ｎｘ３＞ｎｚ３＞ｎｙ３
［関係式１２］
ｎｚ３≧ｎｘ３＞ｎｙ３
上記関係式１１および１２において、
ｎｘ３は、高分子フィルムの面内屈折率が最も大きい方向での屈折率であり、
ｎｙ３は、高分子フィルムの面内屈折率が最も小さい方向での屈折率であり、
ｎｚ３は、高分子フィルムの厚さ方向での屈折率である。
【００２４】
前記有機発光表示パネルは下記関係式５および６の屈折率を満足することができる。
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００２５】
前記有機発光表示パネルは下記関係式７の屈折率を満足することができる。
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００２６】
前記補償フィルムは、前記補償フィルムの表面に対して斜めに傾斜した液晶を含む液晶層を含むことができ、前記補償フィルムの表面に対する前記液晶の傾斜角は前記補償フィルムの厚さ方向に沿って漸進的に大きくなってもよい。
【００２７】
前記液晶層は前記有機発光表示パネル側に位置する第１面と、前記偏光子側に位置する第２面とを有し、前記補償フィルムの表面に対する前記液晶の傾斜角は前記第１面から前記第２面まで前記補償フィルムの厚さ方向に沿って漸進的に大きくなってもよい。
【００２８】
前記液晶層は前記偏光子側に位置する第１面と、前記有機発光表示パネル側に位置する第２面とを有し、前記補償フィルムの表面に対する前記液晶の傾斜角は前記第１面から前記第２面まで前記補償フィルムの厚さ方向に沿って漸進的に大きくなってもよい。
【００２９】
前記有機発光表示パネルは下記関係式５および６の屈折率を満足することができる。
［関係式５］
ｎｘｐ＞ｎｚｐ
［関係式６］
ｎｙｐ＞ｎｚｐ
上記関係式５および６において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００３０】
前記有機発光表示パネルは下記関係式７の屈折率を満足することができる。
［関係式７］
ｎｘｐ＝ｎｙｐ＞ｎｚｐ
上記関係式７において、
ｎｘｐは、前記有機発光表示パネルの面内屈折率が最も大きい方向での屈折率であり、
ｎｙｐは、前記有機発光表示パネルの面内屈折率が最も小さい方向での屈折率であり、
ｎｚｐは、前記有機発光表示パネルの厚さ方向での屈折率である。
【００３１】
前記補償フィルムは前記液晶層に接する配向膜をさらに含むことができる。
【００３２】
前記有機発光表示パネルは、配向された有機分子を含む有機層を含むことができる。
【００３３】
前記有機発光表示パネルは、蒸着された有機分子を含む有機層を含むことができる。
【００３４】
前記有機発光表示パネルは、微小共振器（ｍｉｃｒｏｃａｖｉｔｙ）構造を有してもよい。
【００３５】
他の実施形態によれば、偏光子および補償フィルムを含み、前記補償フィルムの第１方向に対する位相遅延は下記関係式１を満足する有機発光装置用円偏光板を提供する。
［関係式１］
│Ｒｃ２│−│Ｒｃ１│＞０
上記関係式１において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延である。
【００３６】
前記補償フィルムの第１方向に対する位相遅延は、前記補償フィルムの厚さ方向に発生する厚さ方向位相遅延であってもよい。
【００３７】
また他の実施形態によれば、下記関係式１を満足する第１方向に対する位相遅延を有する円偏光板用補償フィルムを提供する。
［関係式１］
│Ｒｃ２│−│Ｒｃ１│＞０
上記関係式１において、
Ｒｃ２は、前記補償フィルムの第１方向に対する位相遅延であり、
Ｒｃ１は、前記円偏光板の一面に反射板を配置し測定された前記円偏光板の側面方向での反射率および反射色のうちの少なくとも一つが最小であるときの前記補償フィルムの第１方向に対する位相遅延である。
【００３８】
前記補償フィルムの第１方向に対する位相遅延は、前記補償フィルムの厚さ方向に発生する厚さ方向位相遅延であってもよい。
【発明の効果】
【００３９】
外光の反射防止効果をさらに改善して外光によって視認性およびコントラスト比が低下することを防止し表示特性を改善することができる。
【図面の簡単な説明】
【００４０】
【図１】一実施形態による有機発光装置を概略的に示す断面図である。
【図２】円偏光板の反射防止効果を示す概略図である。
【図３】図１による有機発光装置の多様な例を示した概略図である。
【図４】図１による有機発光装置の多様な例を示した概略図である。
【図５】図１による有機発光装置の多様な例を示した概略図である。
【図６】図１による有機発光装置の多様な例を示した概略図である。
【図７】図１による有機発光装置の多様な例を示した概略図である。
【図８】実施例７による有機発光装置における第２補償フィルムの厚さ方向位相遅延による反射率および反射色を示すグラフである。
【図９】実施例７による有機発光装置における第２補償フィルムの厚さ方向位相遅延による反射率および反射色を示すグラフである。
【図１０】基準例７による有機発光装置における第２補償フィルムの厚さ方向位相遅延による反射率および反射色を示すグラフである。
【図１１】基準例７による有機発光装置における第２補償フィルムの厚さ方向位相遅延による反射率および反射色を示すグラフである。
【図１２】実施例８による有機発光装置における補償フィルムの厚さ方向位相遅延による反射率および反射色を示すグラフである。
【図１３】実施例８による有機発光装置における補償フィルムの厚さ方向位相遅延による反射率および反射色を示すグラフである。
【図１４】基準例８による有機発光装置における補償フィルムの厚さ方向位相遅延による反射率および反射色を示すグラフである。
【図１５】基準例８による有機発光装置における補償フィルムの厚さ方向位相遅延による反射率および反射色を示すグラフである。
【図１６】実施例９による有機発光装置における液晶の最大傾斜角による反射率および反射色を示すグラフである。
【図１７】実施例９による有機発光装置における液晶の最大傾斜角による反射率および反射色を示すグラフである。
【図１８】基準例９による有機発光装置における液晶の最大傾斜角による反射率および反射色を示すグラフである。
【図１９】基準例９による有機発光装置における液晶の最大傾斜角による反射率および反射色を示すグラフである。
【発明を実施するための形態】
【００４１】
以下、実施形態について技術分野における通常の知識を有する者が容易に実施できるように詳しく説明する。しかし、実施形態は様々な形態に実現でき、ここで説明する実施形態に限定されない。
【００４２】
図面において様々な層および領域を明確に表現するために厚さを拡大して示した。明細書全体にわたって類似の部分については同一図面符号を付けた。層、膜、領域、板などの部分が他の部分の“上”にあるというとき、これは他の部分の“直上”にある場合だけでなくその中間にまた他の部分がある場合も含む。逆に、ある部分が他の部分の“直上”にあるというときには中間に他の部分がないことを意味する。
【００４３】
以下、図面を参照して一実施形態による有機発光装置を説明する。
【００４４】
図１は、一実施形態による有機発光装置を概略的に示す断面図である。
【００４５】
図１に示すように、一実施形態による有機発光装置５００は有機発光表示パネル１００と円偏光板２００を含む。
【００４６】
有機発光表示パネル１００はフルカラー（ｆｕｌｌ  ｃｏｌｏｒ）を表現するための複数の単位画素群を含み、複数の単位画素群は行および／または列に沿って交互に配置することができる。各単位画素群は複数の画素を含み、例えば２×２マトリックス、３×１マトリックスなど多様な配列を有し得る。各単位画素群は例えば赤色画素、緑色画素および青色画素を含むことができ、例えば白色画素をさらに含むことができる。単位画素群の構成および配置は多様に変形することができる。
【００４７】
図１に示すように、有機発光表示パネル１００は、ベース基板１１０、ベース基板１１０の上に配列されている薄膜トランジスタアレイ（ｔｈｉｎ  ｆｉｌｍ  ｔｒａｎｓｉｓｔｏｒ  ａｒｒａｙ）Ｑ１、Ｑ２、Ｑ３、有機発光ダイオード１５０および対向基板１７０を含む。
【００４８】
ベース基板１１０は、ガラス基板、高分子基板または半導体基板であってもよい。この高分子基板は、例えばポリカーボネート、ポリメチルメタクリレート、ポリエチレンテレフタレート、ポリエチレンナフタレート、ポリアミド、ポリエーテルスルホン、これらの共重合体、これらの誘導体またはこれらの組み合わせであってもよいが、これに限定されず、高分子基板を使用した場合、フレキシブル素子を効果的に実現することができる。
【００４９】
薄膜トランジスタアレイＱ１、Ｑ２、Ｑ３は各画素ごとに配置されているスイッチング薄膜トランジスタＱＳ１、ＱＳ２、ＱＳ３および駆動薄膜トランジスタＱＤ１、ＱＤ２、ＱＤ３を含み、スイッチング薄膜トランジスタＱＳ１、ＱＳ２、ＱＳ３および駆動薄膜トランジスタＱＤ１、ＱＤ２、ＱＤ３は電気的に連結されている。
【００５０】
スイッチング薄膜トランジスタＱＳ１、ＱＳ２、ＱＳ３は制御端子、入力端子および出力端子を有し、制御端子はゲート線に連結されており、入力端子はデータ線に連結されており、出力端子は駆動薄膜トランジスタＱＤ１、ＱＤ２、ＱＤ３に連結されている。スイッチング薄膜トランジスタＱＳ１、ＱＳ２、ＱＳ３はゲート線に印加される走査信号に応答してデータ線に印加されるデータ信号を駆動薄膜トランジスタＱＤ１、ＱＤ２、ＱＤ３に伝達することができる。
【００５１】
駆動薄膜トランジスタＱＤ１、ＱＤ２、ＱＤ３も制御端子、入力端子および出力端子を有し、制御端子はスイッチング薄膜トランジスタＱＳ１、ＱＳ２、ＱＳ３に連結されており、入力端子は駆動電圧線に連結されており、出力端子は有機発光ダイオード１５０に連結されている。駆動薄膜トランジスタＱＤ１、ＱＤ２、ＱＤ３は制御端子と出力端子の間にかかる電圧によってその大きさが変わる出力電流を流すことができる。
【００５２】
薄膜トランジスタアレイＱ１、Ｑ２、Ｑ３の上には絶縁層１１１が形成されている。絶縁層１１１はスイッチング薄膜トランジスタＱＳ１、ＱＳ２、ＱＳ３および駆動薄膜トランジスタＱＤ１、ＱＤ２、ＱＤ３の一部を露出させる複数の接触孔を有する。
【００５３】
絶縁層１１１の上には有機発光ダイオード１５０が形成されている。有機発光ダイオード１５０は第１色を表示する第１有機発光ダイオード、第２色を表示する第２有機発光ダイオードおよび第３色を表示する第３有機発光ダイオードを含み、ここで第１色、第２色および第３色はそれぞれ三原色のうちの一つである。
【００５４】
有機発光ダイオード１５０は下部電極１２０、有機層１３０および上部電極１４０を含む。下部電極１２０は第１〜第３有機発光ダイオードにそれぞれ位置する第１下部電極１２０ａ、第２下部電極１２０ｂおよび第３下部電極１２０ｃを含み、有機層１３０は第１〜第３有機発光ダイオードにそれぞれ位置する第１有機層１３０ａ、第２有機層１３０ｂおよび第３有機層１３０ｃを含む。上部電極１４０は第１〜第３有機発光ダイオードに共通する共通電極であってもよい。第１有機発光ダイオード、第２有機発光ダイオードおよび第３有機発光ダイオードの間には例えばポリイミドのような絶縁物質からなる隔壁１６０が形成されている。
【００５５】
下部電極１２０は駆動薄膜トランジスタＱＤ１、ＱＤ２、ＱＤ３の出力端子に連結されており、上部電極１４０は共通電圧に連結されている。
【００５６】
下部電極１２０と上部電極１４０のうちのいずれか一つはアノード（ａｎｏｄｅ）であり、他の一つはカソード（ｃａｔｈｏｄｅ）である。例えば、下部電極１２０がアノードであり、上部電極１４０がカソードであってもよい。アノードは正孔（ｈｏｌｅ）が注入される電極であって高い仕事関数（ｗｏｒｋ  ｆｕｎｃｔｉｏｎ）を有する導電物質からなり、カソードは電子（ｅｌｅｃｔｒｏｎ）が注入される電極であって低い仕事関数を有する導電物質からなってもよい。
【００５７】
下部電極１２０と上部電極１４０のうちの少なくとも一つは発光した光が外部に出られる透明または半透明導電物質からなってもよく、例えばＩＴＯまたはＩＺＯのような導電性酸化物薄膜および／またはＡｇ、Ａｌ薄膜のような金属薄膜であってもよい。
【００５８】
有機層１３０は発光層を含み、追加的に付帯層をさらに含むことができる。発光層は下部電極１２０と上部電極１４０に電圧が印加されたときに赤色、緑色または青色などの光を固有に出すことができる有機物質を含むことができる。付帯層は電子と正孔の均衡を取るための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および／または電子伝達層（ｅｌｅｃｔｒｏｎ  ｔｒａｎｓｐｏｒｔｉｎｇ  ｌａｙｅｒ）を含むことができるが、これに限定されるのではない。有機層１３０は実質的に一方向に配向された有機分子を含むことができ、有機層１３０の有機分子は例えば真空蒸着のような蒸着によって形成することができる。
【００５９】
図１では有機層１３０が各画素ごとに分離されている例を示したが、これに限定されず、有機層１３０が有機発光ダイオード１５０に共通層として形成された構造であってもよく、例えば第１色の光を出す発光層、第２色の光を出す発光層および第３色の光を出す発光層が積層された構造であってもよい。この場合、有機層１３０の下部または上部にカラーフィルタ（図示せず）をさらに含むこともできる。
【００６０】
下部電極１２０、有機層１３０および上部電極１４０は微小共振器効果（ｍｉｃｒｏｃａｖｉｔｙ  ｅｆｆｅｃｔ）を有し得る。微小共振器効果は発光層から出た光が光路長（ｏｐｔｉｃａｌ  ｌｅｎｇｔｈ）だけ離れている反射層と（半）透明層の間で反復的に反射されることによって補強干渉によって特定波長の光を増幅することであって、微小共振器の共鳴波長に相応する波長の光は強化され、他の波長の光は抑制される。
【００６１】
微小共振器効果のために、下部電極１２０と上部電極１４０のうちの一つは反射層を含むことができ、他の一つは（半）透明層を含むことができる。微小共振器効果で強化される光の波長範囲は光路長によって決定され、光路長は例えば下部電極１２０と上部電極１４０の間の距離で決定される。即ち、赤色画素は赤色波長領域の光が選択的に増幅され得る光路長を有し、緑色画素は緑色波長領域の光が選択的に増幅され得る光路長を有し、青色画素は青色波長領域の光が選択的に増幅され得る光路長を有し得る。このように微小共振器効果によって各画素別に特定波長領域の光を選択的に強化することによって色の純度を高めることができる。
【００６２】
対向基板１７０は例えば封止基板であってもよい。封止基板はガラス、金属および／または高分子から形成することができ、高分子は例えばポリエチレンテレフタレート（ＰＥＴ）、ポリビニルアルコール（ＰＶＡ）、ポリカーボネート（ＰＣ）、トリアセチルセルロース（ＴＡＣ）、これらの共重合体、これらの誘導体および／またはこれらの組み合わせであってもよい。封止基板は有機発光ダイオード１５０を封止して外部から水分および／または酸素が流入することを防止することができる。ベース基板１１０と対向基板１７０はシーリング材５０によって結合されていてもよい。
【００６３】
図１では有機発光表示パネル１００の一例の構造を例示したが、有機発光表示パネル１００の構造は多様であり、公知のいかなる有機発光表示パネルも適用することができる。
【００６４】
円偏光板２００は有機発光表示パネル１００の一面に配置され、有機発光表示パネル１００から光が出る側に配置することができる。図１では対向基板１７０側に光が出る前面発光（ｔｏｐ  ｅｍｉｓｓｉｏｎ）構造を例示し円偏光板２００が対向基板１７０の一面に配置された例を示したが、これに限定されず、ベース基板１１０側に光が出る背面発光（ｂｏｔｔｏｍ  ｅｍｉｓｓｉｏｎ）構造の場合、円偏光板２００はベース基板１１０の外側に配置されてもよい。
【００６５】
円偏光板２００は偏光子３００および補償フィルム４００を含む。
【００６６】
偏光子３００は、外部から入射される光（以下、“入射光”という）を線偏光に変換させる直線偏光子（ｌｉｎｅａｒ  ｐｏｌａｒｉｚｅｒ）であってもよい。
【００６７】
偏光子３００は例えば延伸されたポリビニルアルコール（ｐｏｌｙｖｉｎｙｌ  ａｌｃｏｈｏｌ、ＰＶＡ）から形成された偏光板であってもよく、この偏光板は例えばポリビニルアルコールフィルムを延伸しここにヨードまたは二色性染料を吸着させた後、ホウ酸処理および洗浄などの方法で形成することができる。
【００６８】
偏光子３００は例えば高分子と二色性染料を溶融混合（ｍｅｌｔ  ｂｌｅｎｄ）して準備された偏光フィルムであってもよく、この偏光フィルムは例えば高分子と二色性染料を混合し前述の高分子の溶融点以上の温度で溶融してシートに製作する方法で形成することができる。この高分子は疎水性高分子であってもよく、例えばポリオレフィンであってもよい。
【００６９】
補償フィルム４００は偏光子３００を通過した線偏光された光を円偏光させ位相遅延を発生させることができる。位相遅延は面内位相遅延Ｒｅと厚さ方向位相遅延Ｒｔｈで示すことができる。補償フィルム４００の面内位相遅延Ｒｅは補償フィルム４００の面内で発生する位相遅延であって、Ｒｅ＝（ｎｘ−ｎｙ）ｄで示すことができる。補償フィルム４００の厚さ方向位相遅延Ｒｔｈは補償フィルム４００の厚さ方向に発生する位相遅延であって、Ｒｔｈ＝｛［（ｎｘ＋ｎｙ）／２］−ｎｚ｝ｄで示すことができる。ここで、ｎｘは補償フィルム４００の面内屈折率が最も大きい方向（以下、‘遅相軸（ｓｌｏｗ  ａｘｉｓ）'という）での屈折率であり、ｎｙは補償フィルム４００の面内屈折率が最も小さい方向（以下、‘進相軸（ｆａｓｔａｘｉｓ）'という）での屈折率であり、ｎｚは補償フィルム４００の遅相軸および進相軸に対する垂直方向の屈折率であり、ｄは補償フィルム４００の厚さである。
【００７０】
厚さ方向位相遅延Ｒｔｈは正または負の値を有する。例えば面内位相遅延Ｒｅが厚さ方向位相遅延Ｒｔｈより非常に大きい場合、厚さ方向位相遅延Ｒｔｈは正の値を有し、例えば厚さ方向位相遅延Ｒｔｈが面内位相遅延Ｒｅより非常に大きい場合、厚さ方向位相遅延Ｒｔｈは負の値を有する。
【００７１】
補償フィルム４００はｎｘ、ｎｙ、ｎｚおよび／または厚さｄを変化して所定の面内位相遅延および厚さ方向位相遅延を有するように調節することができる。
【００７２】
補償フィルム４００の位相遅延は、円偏光板２００の反射防止効果が最大であるときの位相遅延および有機発光表示パネル１００の光学異方性による位相遅延を考慮して決定することができる。
【００７３】
円偏光板２００の反射防止効果が最大であるときの位相遅延は、円偏光板２００の一面に反射板を配置し測定された円偏光板２００の側面方向での反射率および反射色のうちの少なくとも一つが最小であるときの位相遅延であってもよい。ここで、側面方向は例えば正面を基準に約３０度であってもよく、約４５度であってもよく、約６０度であってもよい。
【００７４】
有機発光表示パネル１００の光学異方性は多様な要因によって示すことができる。一例に、有機層１３０の有機分子の配向によって有機発光表示パネル１００は光学異方性を示すことができる。例えば、光抽出効果を高めるために有機層１３０内発光層の有機分子が一方向に配向されてもよい。例えば、有機層１３０は真空蒸着のような方法で蒸着されて一方向に配向されてもよい。例えば、有機発光ダイオード１５０の電荷輸送性を高めるために有機層１３０内発光層および／または補助層の有機分子が一方向に配向されてもよい。一例として、有機発光表示パネル１００の微小共振器効果によって光学異方性を示すことができる。一例として、有機発光表示パネル１００に使用されたポリイミドのような有機物によって光学異方性を示すことができる。
【００７５】
このように補償フィルム４００の位相遅延の光学設計時、円偏光板２００の反射防止効果が最大であるときの位相遅延だけでなく有機発光表示パネル１００の光学異方性による位相遅延を共に考慮することによって、有機発光表示装置の反射防止効果をさらに改善することができる。
【００７６】
万一、補償フィルム４００の位相遅延値が円偏光板２００の反射防止効果が最大であるときの位相遅延のみで決定される場合、有機発光表示パネル１００の光学異方性によって有機発光表示パネル１００と円偏光板２００が結合された有機発光装置で反射率および反射色のうちの少なくとも一つが最小であるときの位相遅延との差が発生し実際反射防止効果が低下することがある。
【００７７】
有機発光表示パネル１００は前述の光学異方性によって所定方向（以下、‘第１方向’という）に対して主に位相遅延が発生し、例えば有機発光表示パネル１００の厚さ方向に発生する厚さ方向位相遅延が主に発生する。
【００７８】
したがって、補償フィルム４００の第１方向に対する位相遅延は有機発光表示パネル１００の第１方向に対する位相遅延を考慮して光学設計することができ、例えば補償フィルム４００の第１方向に対する位相遅延は有機発光表示パネル１００の第１方向に対する位相遅延を相殺または補強して光学設計することができる。
【００７９】
一例として、補償フィルム４００の厚さ方向位相遅延は有機発光表示パネル１００の厚さ方向位相遅延を考慮して光学設計することができ、例えば補償フィルム４００の厚さ方向位相遅延は有機発光表示パネル１００の厚さ方向位相遅延を相殺または補強して光学設計することができる。
【００８０】
したがって、補償フィルム４００の第１方向に対する位相遅延は有機発光表示パネル１００の第１方向に対する位相遅延を考慮せず光学設計された位相遅延と異なり、例えば下記関係式１の通りである。
［関係式１］
│Ｒｃ２│−│Ｒｃ１│＞０
上記関係式１において、
Ｒｃ２は、補償フィルム４００の第１方向に対する位相遅延であり、
Ｒｃ１は、円偏光板２００の一面に反射板を配置し測定された円偏光板２００の側面方向での反射率および反射色のうちの少なくとも一つが最小であるときの補償フィルム４００の第１方向に対する位相遅延である。
【００８１】
前述の関係式１は、例えば下記関係式１ａを満足することができる。
［関係式１ａ］
Ｒｃ２−Ｒｃ１＜０
上記関係式１ａにおいて、Ｒｃ２およびＲｃ１は前述の通りである。
【００８２】
補償フィルム４００の第１方向に対する位相遅延は、有機発光表示パネル１００の第１方向に対する位相遅延を考慮して例えば下記関係式２を満足することができる。
［関係式２］
│Ｒｃ１−Ｒｐ│×０．６≦Ｒｃ２≦│Ｒｃ１−Ｒｐ│×１．４
上記関係式２において、
Ｒｃ２は、補償フィルム４００の第１方向に対する位相遅延であり、
Ｒｃ１は、円偏光板２００の一面に反射板を配置し測定された円偏光板２００の側面での反射率および反射色のうちの少なくとも一つが最小であるときの補償フィルム４００の第１方向に対する位相遅延であり、
Ｒｐは、有機発光表示パネル１００の第１方向に対する位相遅延である。
【００８３】
補償フィルム４００の第１方向に対する位相遅延は、有機発光表示パネル１００の第１方向に対する位相遅延を考慮して例えば下記関係式３を満足することができる。
［関係式３］
│Ｒｃ１−Ｒｐ│×０．８≦Ｒｃ２≦│Ｒｃ１−Ｒｐ│×１．２
上記関係式３において、
Ｒｃ２は、補償フィルム４００の第１方向に対する位相遅延であり、
Ｒｃ１は、円偏光板２００の一面に反射板を配置し測定された円偏光板２００の側面での反射率および反射色のうちの少なくとも一つが最小であるときの補償フィルム４００の第１方向に対する位相遅延であり、
Ｒｐは、有機発光表示パネル１００の第１方向に対する位相遅延である。
【００８４】
補償フィルム４００は、例えば下記関係式４を満足することができる。
［関係式４］
Ｒｃ２＝（（ｎｘ＋ｎｙ）／２−ｎｚ）×ｄｃ＜０
上記関係式４において、
Ｒｃ２は、補償フィルム４００の厚さ方向位相遅延であり、
ｎｘは、補償フィルム４００の面内屈折率が最も大きい方向での屈折率であり、
ｎｙは、補償フィルム４００の面内屈折率が最も小さい方向での屈折率であり、
ｎｚは、補償フィルム４００の厚さ方向での屈折率であり、
ｄｃは、補償フィルム４００の厚さである。
【００８５】
図３乃至図７は、図１による有機発光装置の多様な例を示した概略図である。
【００８６】
図３に示すように、一実施形態による有機発光装置は、所定の光学異方性を有する有機発光表示パネル１００、そして偏光子３００と補償フィルム４００を含む円偏光板２００を含む。
【００８７】
有機発光表示パネル１００は、例えば下記関係式５および６の屈折率を満足する光学異方性を有する。
［関係式５］
ｎｘｐ＞ｎｚｐ
［関係式６］
ｎｙｐ＞ｎｚｐ
上記関係式５および６において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【００８８】
例えば、有機発光表示パネル１００は、例えば下記関係式７の屈折率を満足する光学異方性を有する。
［関係式７］
ｎｘｐ＝ｎｙｐ＞ｎｚｐ
上記関係式７において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【００８９】
前述の関係式７においてｎｘｐとｎｙｐは完全に同一な場合以外に実質的に同一な場合も含まれ、例えばｎｘｐとｎｙｐの屈折率差が約０．００１以下、例えば約０．０１以下である場合、実質的に同一な場合と見ることができる。
【００９０】
例えば、有機発光表示パネル１００の厚さ方向位相遅延は約２０ｎｍ〜２００ｎｍであってもよい。この範囲内で例えば約２０ｎｍ〜１００ｎｍであってもよい。
【００９１】
補償フィルム４００は例えばλ／４位相遅延フィルムであってもよく、例えば約５５０ｎｍ波長の入射光に対して約１１０ｎｍ〜１６０ｎｍの面内位相遅延Ｒｅを有する。
【００９２】
補償フィルム４００は例えばλ／２位相遅延フィルムであってもよく、例えば約５５０ｎｍ波長の入射光に対して約２２０ｎｍ〜３２０ｎｍの面内位相遅延Ｒｅを有する。
【００９３】
補償フィルム４００の厚さ方向位相遅延Ｒｔｈは前述のように有機発光表示パネル１００の位相遅延を考慮して設計することができる。
【００９４】
補償フィルム４００は高分子、液晶またはこれらの組み合わせを含むことができる。
【００９５】
図４に示すように、本実施形態による有機発光装置は前述の実施形態と同様に所定の光学異方性を有する有機発光表示パネル１００、そして偏光子３００と補償フィルム４００を含む円偏光板２００を含む。しかし、前述の実施形態とは異なり、補償フィルム４００は光学異方性が相異なる第１補償フィルム４１０と第２補償フィルム４２０を含む。
【００９６】
第１補償フィルム４１０は例えばλ／４位相遅延フィルムであってもよく、例えば約５５０ｎｍ波長の入射光に対して約１１０ｎｍ〜１６０ｎｍの面内位相遅延Ｒｅを有する。
【００９７】
第１補償フィルム４１０は例えばλ／２位相遅延フィルムであってもよく、例えば約５５０ｎｍ波長の入射光に対して約２２０ｎｍ〜３２０ｎｍの面内位相遅延Ｒｅを有する。
【００９８】
第１補償フィルム４１０は例えば下記関係式８および９の屈折率を満足することができる。
［関係式８］
ｎｘ１＞ｎｙ１
［関係式９］
ｎｘ１＞ｎｚ１
上記関係式８および９において、
ｎｘ１は、第１補償フィルム４１０の面内屈折率が最も大きい方向での屈折率であり、
ｎｙ１は、第１補償フィルム４１０の面内屈折率が最も小さい方向での屈折率であり、
ｎｚ１は、第１補償フィルム４１０の厚さ方向での屈折率である。
【００９９】
第２補償フィルム４２０は例えば下記する関係式１０の屈折率を満足することができる。
［関係式１０］
ｎｚ２＞ｎｘ２＝ｎｙ２
上記関係式１０において、
ｎｘ２は、第２補償フィルム４２０の面内屈折率が最も大きい方向での屈折率であり、
ｎｙ２は、第２補償フィルム４２０の面内屈折率が最も小さい方向での屈折率であり、
ｎｚ２は、第２補償フィルム４２０の厚さ方向での屈折率である。
【０１００】
前述の関係式１０においてｎｘ２とｎｙ２は完全に同一な場合以外に実質的に同一な場合も含まれ、例えばｎｘ２とｎｙ２の屈折率差が約０．００１以下、例えば約０．０１以下である場合、実質的に同一な場合と見ることができる。
【０１０１】
第２補償フィルム４２０は第１補償フィルム４１０の一面に位置し、第１補償フィルム４１０の厚さ方向位相遅延を減少または相殺させ視野角依存性および波長依存性を減らすことができる。
【０１０２】
第１補償フィルム４１０と第２補償フィルム４２０は、それぞれ独立して、高分子、液晶またはこれらの組み合わせを含むことができる。例えば第１補償フィルム４１０は高分子フィルムを含み、第２補償フィルム４２０は液晶層を含むことができる。例えば第１補償フィルム４１０と第２補償フィルム４２０はそれぞれ液晶層を含むことができる。例えば第１補償フィルム４１０と第２補償フィルム４２０はそれぞれ高分子フィルムを含むことができる。
【０１０３】
有機発光表示パネル１００は例えば下記関係式５および６の屈折率を満足する光学異方性を有する。
［関係式５］
ｎｘｐ＞ｎｚｐ
［関係式６］
ｎｙｐ＞ｎｚｐ
上記関係式５および６において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１０４】
例えば、有機発光表示パネル１００は例えば下記関係式７の屈折率を満足する光学異方性を有する。
［関係式７］
ｎｘｐ＝ｎｙｐ＞ｎｚｐ
上記関係式７において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１０５】
前述の関係式７においてｎｘｐとｎｙｐは完全に同一な場合以外に実質的に同一な場合も含まれ、例えばｎｘｐとｎｙｐの屈折率差が約０．００１以下、例えば約０．０１以下である場合、実質的に同一な場合と見ることができる。
【０１０６】
例えば、有機発光表示パネル１００の厚さ方向位相遅延は約２０ｎｍ〜２００ｎｍであってもよい。この範囲内で例えば約２０ｎｍ〜１００ｎｍであってもよい。
【０１０７】
図５に示すように、本実施形態による有機発光装置は前述の実施形態と同様に、所定の光学異方性を有する有機発光表示パネル１００、そして偏光子３００と補償フィルム４００を含む円偏光板２００を含み、補償フィルム４００は第１補償フィルム４１０と第２補償フィルム４２０を含む。しかし、前述の実施形態とは異なり、第１補償フィルム４１０は面内位相遅延が相異なる第３補償フィルム４１０ａと第４補償フィルム４１０ｂを含む。
【０１０８】
第３補償フィルム４１０ａは例えばλ／２位相遅延フィルムであってもよく、例えば約５５０ｎｍ波長の入射光に対して約２２０ｎｍ〜３２０ｎｍの面内位相遅延Ｒｅを有する。
【０１０９】
第４補償フィルム４１０ｂは例えばλ／４位相遅延フィルムであってもよく、例えば約５５０ｎｍ波長の入射光に対して約１１０ｎｍ〜１６０ｎｍの面内位相遅延Ｒｅを有する。
【０１１０】
第３補償フィルム４１０ａと第４補償フィルム４１０ｂはそれぞれ前述の関係式８および９の屈折率を満足することができる。
【０１１１】
面内位相遅延が異なる第３補償フィルム４１０ａと第４補償フィルム４１０ｂを共に使用して所定の位相遅延を容易に実現することによって視野角依存性および波長依存性を減らすことができる。
【０１１２】
第２補償フィルム４２０は例えば下記関係式１０の屈折率を満足することができる。
［関係式１０］
ｎｚ２＞ｎｘ２＝ｎｙ２
上記関係式１０において、
ｎｘ２は、第２補償フィルム４２０の面内屈折率が最も大きい方向での屈折率であり、
ｎｙ２は、第２補償フィルム４２０の面内屈折率が最も小さい方向での屈折率であり、
ｎｚ２は、第２補償フィルム４２０の厚さ方向での屈折率である。
【０１１３】
前述の関係式１０においてｎｘ２とｎｙ２は完全に同一な場合以外に実質的に同一な場合も含まれ、例えばｎｘ２とｎｙ２の屈折率差が約０．００１以下、例えば約０．０１以下である場合、実質的に同一な場合と見ることができる。
【０１１４】
第３および第４補償フィルム４１０ａ、４１０ｂと第２補償フィルム４２０は、それぞれ独立して、高分子、液晶またはこれらの組み合わせを含むことができる。例えば第３および第４補償フィルム４１０ａ、４１０ｂのうちの少なくとも一つは高分子フィルムを含み、第２補償フィルム４２０は液晶層を含むことができる。例えば第３および第４補償フィルム４１０ａ、４１０ｂと第２補償フィルム４２０はそれぞれ液晶層を含むことができる。例えば第３および第４補償フィルム４１０ａ、４１０ｂと第２補償フィルム４２０はそれぞれ高分子フィルムを含むことができる。
【０１１５】
有機発光表示パネル１００は例えば下記関係式５および６の屈折率を満足する光学異方性を有する。
［関係式５］
ｎｘｐ＞ｎｚｐ
［関係式６］
ｎｙｐ＞ｎｚｐ
上記関係式５および６において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１１６】
例えば、有機発光表示パネル１００は例えば下記関係式７の屈折率を満足する光学異方性を有する。
［関係式７］
ｎｘｐ＝ｎｙｐ＞ｎｚｐ
上記関係式７において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１１７】
前述の関係式７においてｎｘｐとｎｙｐは完全に同一な場合以外に実質的に同一な場合も含まれ、例えばｎｘｐとｎｙｐの屈折率差が約０．００１以下、例えば約０．０１以下である場合、実質的に同一な場合と見ることができる。
【０１１８】
例えば、有機発光表示パネル１００の厚さ方向位相遅延は約２０ｎｍ〜２００ｎｍであってもよい。この範囲内で例えば約２０ｎｍ〜１００ｎｍであってもよい。
【０１１９】
図６に示すように、本実施形態による有機発光装置は、前述の実施形態と同様に、所定の光学異方性を有する有機発光表示パネル１００、そして偏光子３００と補償フィルム４００を含む円偏光板２００を含む。しかし、前述の実施形態とは異なり、補償フィルム４００は下記関係式１１または１２の屈折率を満足する高分子フィルムであってもよい。
［関係式１１］
ｎｘ３＞ｎｚ３＞ｎｙ３
［関係式１２］
ｎｚ３≧ｎｘ３＞ｎｙ３
上記関係式１１および１２において、
ｎｘ３は、高分子フィルムの面内屈折率が最も大きい方向での屈折率であり、
ｎｙ３は、高分子フィルムの面内屈折率が最も小さい方向での屈折率であり、
ｎｚ３は、高分子フィルムの厚さ方向での屈折率である。
【０１２０】
この高分子フィルムは補償フィルム４００の厚さ方向の位相遅延を大きくすることによって視野角依存性を減らすことができる。高分子フィルムは例えば所定の延伸率で二軸延伸して前述の関係式１１および１２を満足する屈折率を有するように準備される。例えば高分子フィルムは約１．１倍〜５．０倍の延伸率で二軸方向に延伸されるが、これに限定されるのではない。
【０１２１】
有機発光表示パネル１００は例えば下記関係式５および６の屈折率を満足する光学異方性を有する。
［関係式５］
ｎｘｐ＞ｎｚｐ
［関係式６］
ｎｙｐ＞ｎｚｐ
上記関係式５および６において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１２２】
例えば、有機発光表示パネル１００は例えば下記関係式７の屈折率を満足する光学異方性を有する。
［関係式７］
ｎｘｐ＝ｎｙｐ＞ｎｚｐ
上記関係式７において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１２３】
前述の関係式７においてｎｘｐとｎｙｐは完全に同一な場合以外に実質的に同一な場合も含まれ、例えばｎｘｐとｎｙｐの屈折率差が約０．００１以下、例えば約０．０１以下である場合、実質的に同一な場合と見ることができる。
【０１２４】
例えば、有機発光表示パネル１００の厚さ方向位相遅延は約２０ｎｍ〜２００ｎｍであってもよい。この範囲内で例えば約２０ｎｍ〜１００ｎｍであってもよい。
【０１２５】
図７に示すように、本実施形態による有機発光装置は、前述の実施形態と同様に、所定の光学異方性を有する有機発光表示パネル１００、そして偏光子３００と補償フィルム４００を含む円偏光板２００を含む。しかし、前述の実施形態とは異なり、補償フィルム４００は補償フィルム４００の表面に対して斜めに傾斜した液晶４３０を含む液晶層を含む。ここで、補償フィルム４００の表面に対して斜めに傾斜するとは補償フィルム４００の表面に対して垂直にまたは水平に配向されないことを言い、前述の各液晶４３０は補償フィルム４００の表面に対して０度超過〜９０度未満の角度に傾いていてもよい。
【０１２６】
補償フィルム４００の表面に対して液晶１５０ａが傾いた角度（以下、‘傾斜角（ｔｉｌｔ  ａｎｇｌｅ）'という）は補償フィルム４００の厚さ方向に沿って変化してもよく、例えば液晶４３０の傾斜角は補償フィルム４００の厚さ方向に沿って漸進的に変化してもよい。
【０１２７】
一例として、補償フィルム４００が有機発光表示パネル１００側に位置する第１面と偏光子３００側に位置する第２面を有するとき、補償フィルム４００の表面に対する液晶４３０の傾斜角は前述の第１面から第２面まで補償フィルム４００の厚さ方向に沿って漸進的に大きくなってもよい。補償フィルム４００は補償フィルム４００の第１面側に位置する配向膜をさらに含むことができる。
【０１２８】
一例として、補償フィルム４００が偏光子３００側に位置する第１面と有機発光表示パネル１００側に位置する第２面を有するとき、補償フィルム４００の表面に対する液晶４３０の傾斜角は前述の第１面から第２面まで補償フィルム４００の厚さ方向に沿って漸進的に大きくなってもよい。補償フィルム４００は補償フィルム４００の第１面側に位置する配向膜をさらに含むことができる。
【０１２９】
補償フィルム４００の第１面に位置した液晶４３０の最小傾斜角は例えば約０度超過１５度未満であってもよく、例えば約２度〜１０度であってもよく、例えば約２度〜５度であってもよいが、これに限定されるのではない。
【０１３０】
補償フィルム４００の第２面に位置した液晶４３０の最大傾斜角は例えば９０度未満であってもよく、例えば約１５度〜８８度であってもよく、例えば約２０度〜８５度であってもよく、例えば約３０度〜８５度であってもよく、例えば約４０度〜８５度であってもよいが、これに限定されるのではない。
【０１３１】
このように斜めに傾斜した複数の液晶４３０を含み補償フィルム４００の厚さ方向に沿って液晶４３０の傾斜角が変わることによって厚さ方向の位相遅延を大きくすることができる。したがって、全ての方向で円偏光効果を同一に実現することができ、これにより正面だけでなく側面でも外光反射を効果的に防止することができるので側面視認性を改善することができる。
【０１３２】
有機発光表示パネル１００は例えば下記関係式５および６の屈折率を満足する光学異方性を有する。
［関係式５］
ｎｘｐ＞ｎｚｐ
［関係式６］
ｎｙｐ＞ｎｚｐ
上記関係式５および６において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１３３】
例えば、有機発光表示パネル１００は例えば下記関係式７の屈折率を満足する光学異方性を有する。
［関係式７］
ｎｘｐ＝ｎｙｐ＞ｎｚｐ
上記関係式７において、
ｎｘｐは、有機発光表示パネル１００の面内屈折率が最も大きい方向での屈折率であり、
ｎｙｐは、有機発光表示パネル１００の面内屈折率が最も小さい方向での屈折率であり、
ｎｚｐは、有機発光表示パネル１００の厚さ方向での屈折率である。
【０１３４】
前述の関係式７において、ｎｘｐとｎｙｐは完全に同一な場合以外に実質的に同一な場合も含まれ、例えばｎｘｐとｎｙｐの屈折率差が約０．００１以下、例えば約０．０１以下である場合、実質的に同一な場合と見ることができる。
【０１３５】
例えば、有機発光表示パネル１００の厚さ方向位相遅延は約２０ｎｍ〜２００ｎｍであってもよい。この範囲内で例えば約２０ｎｍ〜１００ｎｍであってもよい。
【０１３６】
図２は、円偏光板の反射防止効果を示す概略図である。
【０１３７】
図２に示すように、外部から入射される非偏光の光（ｉｎｃｉｄｅｎｔ  ｕｎｐｏｌａｒｉｚｅｄ  ｌｉｇｈｔ）は偏光子３００を通過する際に二つの偏光直交成分のうちの一つの偏光直交成分、即ち、第１偏光直交成分のみが透過され、偏光された光は補償フィルム４００を通過する際に円偏光に変化することができる。この円偏光された光は有機発光表示パネル１００に含まれている金属電極などによって反射する際に円偏光方向が変わり、この円偏光された光が補償フィルム４００を通過する際に二つの偏光直交成分のうちの他の一つの偏光直交成分、即ち、第２偏光直交成分のみが透過される。この第２偏光直交成分は偏光子３００を通過せず外部に光が出ないので外光反射防止効果を有し得る。
【０１３８】
一方、前述のように補償フィルム４００の位相遅延は有機発光表示パネル１００の第１方向に対する位相遅延を考慮して光学設計されることによって有機発光表示パネル１００の光学異方性によって有機発光表示パネル１００と円偏光板２００が結合された有機発光装置で反射率および反射色のうちの少なくとも一つが最小であるときの位相遅延との差が発生し反射防止効果が低下することを防止して、実際さらに効果的な反射防止効果を実現することができる。
【０１３９】
以下、実施例を通じて前述の実施形態をより詳細に説明する。但し、下記の実施例は単に説明の目的のためのものであり本発明の範囲を制限するのではない。
【０１４０】
［実施例］
円偏光板の製造
製造例１
市販のポリカーボネートフィルムＲ−１４０（λ／４位相遅延フィルム、カネカ社製造）を第１補償フイルムとして準備する。
【０１４１】
また、無延伸ポリカーボネートフィルムの上に垂直配向性液晶をスピンコーティングで塗布し先硬化する。その次に、液晶にＵＶ（５００ｍＪ）を照射して液晶を硬化することによってｎｚ２＞ｎｘ２＝ｎｙ２の屈折率を満足する液晶層を含む第２補償フィルムを準備する。その次に第１補償フィルムと第２補償フィルムをＰＳＡ粘着剤を用いて結合して補償フィルムを準備する。その次に第１補償フィルムの一面に偏光板（ＳＥＧ１４２５ＤＵ、日東電工社）を付着して円偏光板を製造する。
【０１４２】
第２補償フィルムの位相遅延は表１の通りであり、位相遅延はＡｘｏｓｃａｎ装置（Ａｘｏｍｅｔｒｉｃｓ社）を用いて測定し、測定波長範囲は４００ｎｍ〜８００ｎｍであり、−６０度〜６０度を１０度間隔で入射角を調節して測定する。
【０１４３】
製造例２〜６
液晶のスピンコーティングの回転数を異にして下記表１の位相遅延を有する第２補償フィルムを準備したことを除いて、製造例１と同様な方法で円偏光板を製造する。
【０１４４】
【表１】
2017187737.tif 000003
【０１４５】
有機発光装置の製造
実施例１〜６
有機発光表示パネル（ギャラクシーＳ４パネル、三星ディスプレイ製造）の一面に製造例１〜６による円偏光板をそれぞれ付着して有機発光装置を製造する。
【０１４６】
基準例１〜６
製造例１〜６による円偏光板の一面に有機発光表示パネルの代わりに反射板を配置して比較サンプルを準備する。
【０１４７】
評価１
実施例１〜６による有機発光装置と基準例１〜６による比較サンプルの側面４５度での反射色をそれぞれ測定して、最も小さい反射色を示す有機発光装置および比較サンプルを確認する。
【０１４８】
反射色はＣＩＥ−Ｌａｂ色座標系を用いて
【０１４９】
【数１】
2017187737.tif 000004
【０１５０】
と表記することができ、正数ａ＊は赤色、負数ａ＊は緑色、正数ｂ＊は黄色、負数ｂ＊は青色を示し、ａ＊とｂ＊の絶対値が大きいほど色が濃い程度を示し、小さい反射色値を有することは反射による色感が黒にさらに近く色感の変化が少ないことを示し、外光反射による視認性が良好であることを意味する。反射色はＳｈｉｍａｄｚｕ  Ｓｏｌｉｄ−ｓｔａｔｅ３７００（製造社）を用いて測定する。
【０１５１】
その結果、実施例１〜６による有機発光装置のうちの実施例４による有機発光装置の反射色のばらつきが最も小さく色度が整頓されている反面、基準例１〜６による比較サンプルのうちの基準例１による比較サンプルの反射色のばらつきが最も小さく色度が整頓されていることを確認した。
【０１５２】
これから円偏光板の一面に実際の有機発光表示パネルを配置した場合と円偏光板の一面に反射板を配置した場合は最大の反射防止効果を発揮する補償フィルムの位相遅延が異なることを確認することができ、有機発光表示パネルは反射防止効果が最大である補償フィルムの位相遅延に影響を与えることができるのを確認することができる。
【０１５３】
これにより、有機発光装置の反射防止特性を実質的に改善するためには有機発光表示パネルの位相遅延を考慮して補償フィルムの位相遅延を光学設計することが必要であるのを確認することができる。
【０１５４】
補償フィルムの光学設計
前述の実施例の結果に基づいて、有機発光表示パネルの厚さ方向位相遅延を約６０ｎｍ〜７０ｎｍに設定し、有機発光装置の反射率および／または反射色が最小になる位相遅延を有する補償フィルムを光学設計する。
【０１５５】
実施例７
シミュレーション光学設計のために、偏光板、ｎｘ１＞ｎｙ１およびｎｘ１＞ｎｚ１の屈折率を満足する第１補償フィルム（Ｒｅ１＝１３８ｎｍ）、ｎｚ２＞ｎｘ２＝ｎｙ２の屈折率を満足する第２補償フィルムおよび有機発光表示パネルが順次に配置された有機発光装置の構造を設定し、第２補償フィルムの厚さ方向位相遅延による反射率および反射色を評価する。
【０１５６】
実施例８
シミュレーション評価のために、偏光板およびｎｘ３＞ｎｚ３＞ｎｙ３の屈折率を満足する補償フィルム（Ｒｅ１＝１３８ｎｍ）および有機発光表示パネルが順次に配置された有機発光装置の構造を設定し、補償フィルムの厚さ方向位相遅延による反射率および反射色を評価する。
【０１５７】
実施例９
シミュレーション評価のために、偏光板、液晶補償フィルムおよび有機発光表示パネルが順次に配置された有機発光装置の構造を設定し、ここで液晶補償フィルムは図７のように液晶補償フィルムの厚さ方向に沿って液晶の傾斜角が漸進的に変わる複数の液晶を含む構造を設定する。液晶の最大傾斜角による反射率および反射色を評価する。
【０１５８】
基準例７〜９
有機発光表示パネルの代わりに反射板が配置された構造に設定したことを除いて、実施例７〜９と同一な条件のシミュレーション評価をする。
【０１５９】
評価２
実施例７〜９と基準例７〜９による構造の反射率および反射色を評価する。反射率および反射色はＬＣＤ  ｍａｓｔｅｒ（Ｓｈｉｎｔｅｃｈ社）を用いてシミュレーション評価する。
【０１６０】
図８および図９は実施例７による構造における第２補償フィルムの厚さ方向位相遅延による反射率および反射色を示すグラフであり、図１０および図１１は基準例７による構造における第２補償フィルムの厚さ方向位相遅延による反射率および反射色を示すグラフであり、図１２および図１３は実施例８による構造における補償フィルムの厚さ方向位相遅延による反射率および反射色を示すグラフであり、図１４および図１５は基準例８による構造における補償フィルムの厚さ方向位相遅延による反射率および反射色を示すグラフであり、図１６および図１７は実施例９による構造における液晶の最大傾斜角による反射率および反射色を示すグラフであり、図１８および図１９は基準例９による構造における液晶の最大傾斜角による反射率および反射色を示すグラフである。
【０１６１】
図８乃至図１１に示すように、実施例７による構造と基準例７による構造は反射率および／または反射色が最小になる位相遅延が異なるのを確認することができる。
【０１６２】
同様に、図１２〜図１５に示すように、実施例８による構造と基準例８による構造は反射率および／または反射色が最小になる位相遅延が異なるのを確認することができる。
【０１６３】
同様に、図１６〜図１９に示すように、実施例９による構造と基準例９による構造は反射率および／または反射色が最小になる液晶の最大傾斜角が異なるのを確認することができる。
【０１６４】
これにより、有機発光表示パネルの位相遅延を考慮して補償フィルムの位相遅延を設計することによって有機発光装置の反射防止効果を現実的且つ効果的に改善することができるのを確認することができる。
【０１６５】
以上、好ましい実施例について説明したが、本発明はこれに限定されるのではなく特許請求の範囲と発明の詳細な説明および添付した図面の範囲内で多様に変形して実施することが可能であり、これも本発明の範囲に属するのは当然である。
【符号の説明】
【０１６６】
１００  有機発光表示パネル
１５０  有機発光ダイオード
２００  円偏光板
３００  偏光子
４００  補償フィルム
５００  有機発光装置
【図１】
2017187737.tif 000005
【図２】
2017187737.tif 000006
【図３】
2017187737.tif 000007
【図４】
2017187737.tif 000008
【図５】
2017187737.tif 000009
【図６】
2017187737.tif 000010
【図７】
2017187737.tif 000011
【図８】
2017187737.tif 000012
【図９】
2017187737.tif 000013
【図１０】
2017187737.tif 000014
【図１１】
2017187737.tif 000015
【図１２】
2017187737.tif 000016
【図１３】
2017187737.tif 000017
【図１４】
2017187737.tif 000018
【図１５】
2017187737.tif 000019
【図１６】
2017187737.tif 000020
【図１７】
2017187737.tif 000021
【図１８】
2017187737.tif 000022
【図１９】
2017187737.tif 000023